(57)【要約】【課題】  セラミックフィルタを安定して固定し、補強するセラミックフィルタ用リテーナと隔壁型式集塵装置を提供する。【解決手段】  セラミックフィルタ用リテーナ１１は、環状のリテーナフランジ２１と、金属線で環状に形成され所定間隔をあけて複数本配置された固定リング２３と、固定リング２３の外側に接合された複数本の縦線材２５とで構成される。セラミックフィルタ用リテーナ１１は、隔壁型式集塵装置が稼働していない状態では熱膨張せず、中空部３１の内面１３ａと所定の距離を隔てた状態になる。一方、セラミックフィルタ用リテーナ１１は、隔壁型式集塵装置が稼働して温度が上昇すると、熱膨張してセラミックフィルタ１３の中空部３１の内面１３ａに当接して内面１３ａを外側に向けて押圧してセラミックフィルタ１３を固定し、補強する。【選択図】図２
2016107200.tif 000002
【特許請求の範囲】
【請求項１】
排ガス通気路内に設置され、排ガスに含有される所定の物質を含む複数の微粒子状物質の一部を濾材によって除去する中空形状をしたセラミックフィルタの中空部に、前記中空部に通じる開口部を介して挿入されるリテーナであって、
稼働時に熱膨張して前記セラミックフィルタの前記中空部の内面に当接して当該内面を外側に向けて押圧して前記セラミックフィルタを固定し、補強する
セラミックフィルタ用リテーナ。
【請求項２】
金属線で環状に形成され所定間隔をあけて複数本配置された固定リングと、
前記固定リングの外側に接合された複数本の縦線材と
を有し、
前記熱膨張により前記縦線材が前記内面に当接して当該内面を外側に向けて押圧する
請求項１に記載のセラミックフィルタ用リテーナ。
【請求項３】
隔壁型式集塵装置に、シール材を介して固定される
請求項１に記載のセラミックフィルタ用リテーナ。
【請求項４】
排ガス通気路内に設置され、排ガスに含有される所定の物質を含む複数の微粒子状物質の一部を濾材によって除去する中空形状をしたセラミックフィルタと、
前記セラミックフィルタの中空部に、前記中空部に通じる開口部を介して挿入され、稼働時に熱膨張して前記セラミックフィルタの前記中空部の内面に当接して当該内面を外側に向けて押圧して前記セラミックフィルタを固定し、補強するセラミックフィルタ用リテーナと、
取付け部と前記セラミックフィルタとの間に介在する第１のシール材と、
前記セラミックフィルタと押さえ部との間に介在する第２のシール材と
を有し、
前記押さえ部による前記取付け部に向けた押圧力によって前記セラミックフィルタの中空部と外側との間の密閉状態が保たれる
隔壁型式集塵装置。
【請求項５】
前記セラミックフィルタの濾材はセラミック製である
請求項４に記載の隔壁型式集塵装置。
【発明の詳細な説明】
【技術分野】
【０００１】
本発明は、隔壁型式集塵装置に用いられるセラミックフィルタ用リテーナと隔壁型式集塵装置に関するものである。
【背景技術】
【０００２】
近代社会においては、下水汚泥焼却炉、都市ごみ等のごみ焼却炉、産業廃棄物焼却炉、金属製錬設備等から排出されるガス中の煤塵、有毒ガス等を除去して快適な生活環境を構築することが望まれ、排ガス処理の研究、開発がなされ、種々提案されている。
そのような排ガス処理設備の中に隔壁型式集塵装置がある。この隔壁型式集塵装置は、捕集煤塵量が少ない初期段階以外は、煤塵は隔壁外面に分離され、捕集体上に堆積する。集塵率は粒子径によらず非常に高いが、捕集体における圧力損失は時間と共に増加するので、適当な間隔で堆積煤塵を除去して、連続運転を維持する。堆積煤塵を除去する方法として圧縮空気を濾材上部から内面に瞬時に吹き込み外面に堆積した煤塵を振るい落とす、パルスジェット形を備えたものが広く知られている。
【０００３】
産業用集塵装置として広く用いられている装置であり、隔壁型式集塵装置のうちバグフィルタでは、濾材として木綿等の植物繊維や、各種の合成繊維を使用した濾布が使用されている。しかしながら、濾布を使用するバグフィルタでは使用温度に限界がある。それを克服した、低温から高温の条件に対応できる濾材としてはセラミックフィルタが近年知られている。
【発明の概要】
【発明が解決しようとする課題】
【０００４】
しかしながら、セラミックフィルタは、強度はあるが脆く、製造過程等の都合により製品の長さに制限があるため、同一ガス条件下ではバグフィルタより濾材の使用本数が多くなる。また、設置時における移送振動や運転時のパルスジェット圧力・地震等の外的要因により破損しないように強度を持たせる必要があり、設置時における取扱いだけでなく、使用する際にも様々な制限が設けられている。
【０００５】
本発明はかかる事情に鑑みてなされたものであり、その目的は、セラミックフィルタを安定して固定し、補強するセラミックフィルタ用リテーナと隔壁型式集塵装置を提供することにある。
【課題を解決するための手段】
【０００６】
上述した従来技術の問題点を解決し、上述した目的を達成するために、本発明のセラミックフィルタ用リテーナは、排ガス通気路内に設置され、排ガスに含有される所定の物質を含む複数の微粒子状物質の一部を濾材によって除去する中空形状をしたセラミックフィルタの中空部に、前記中空部に通じる開口部を介して挿入されるリテーナであって、稼働時に熱膨張して前記セラミックフィルタの前記中空部の内面に当接して当該内面を外側に向けて押圧して前記セラミックフィルタを固定し、補強する。
【０００７】
隔壁型式集塵装置の稼働時には、セラミックフィルタ用リテーナ周辺の雰囲気が高温になり、セラミックフィルタ用リテーナが熱膨張する。これにより、セラミックフィルタ用リテーナがセラミックフィルタの中空部の内面に当接して内面を外側に向けて押圧してセラミックフィルタを固定し、補強する。そのため、排ガスの流れによってセラミックフィルタが外力を受けても、セラミックフィルタ用リテーナによってセラミックフィルタを安定した状態で固定できる。
また、セラミックフィルタの交換は、隔壁型式集塵装置の非稼働時でリテーナフランジが熱膨張していない状態で行う。このとき、セラミックフィルタ用リテーナは熱膨張していないため、セラミックフィルタ用リテーナとセラミックフィルタとは分離しており、セラミックフィルタのみを容易に交換できる。
【０００８】
好適には、本発明のセラミックフィルタ用リテーナは、金属線で環状に形成され所定間隔をあけて複数本配置された固定リングと、前記固定リングの外側に接合された複数本の縦線材とを有し、前記熱膨張により前記縦線材が前記内面に当接して当該内面を外側に向けて押圧する。
【０００９】
好適には、本発明のセラミックフィルタ用リテーナは、隔壁型式集塵装置に、シール材を介して固定される。
【００１０】
本発明の隔壁型式集塵装置は、排ガス通気路内に設置され、排ガスに含有される所定の物質を含む複数の微粒子状物質の一部を濾材によって除去する中空形状をしたセラミックフィルタと、前記セラミックフィルタの中空部に、前記中空部に通じる開口部を介して挿入され、稼働時に熱膨張して前記セラミックフィルタの前記中空部の内面に当接して当該内面を外側に向けて押圧して前記セラミックフィルタを固定し、補強するセラミックフィルタ用リテーナと、取付け部と前記セラミックフィルタとの間に介在する第１のシール材と、前記セラミックフィルタと押さえ部との間に介在する第２のシール材とを有し、前記押さえ部による前記取付け部に向けた押圧力によって前記セラミックフィルタの中空部と外側との間の密閉状態が保たれる。
【００１１】
好適には、本発明の隔壁型式集塵装置の前記セラミックフィルタの濾材はセラミック製である。
【発明の効果】
【００１２】
本発明によれば、セラミックフィルタを安定して固定し、補強するセラミックフィルタ用リテーナと隔壁型式集塵装置を提供することができる。
【図面の簡単な説明】
【００１３】
【図１】図１は、本発明の実施形態に係るセラミックフィルタ用リテーナの外観図である。
【図２】図２は、セラミックフィルタにセラミックフィルタ用リテーナを装着した状態（非稼働時）の概略断面図である。
【図３】図３は、リテーナフランジの形状の変形例を説明するための図である。
【発明を実施するための形態】
【００１４】
以下、本発明の実施形態に係る隔壁型式集塵装置について説明する。
図１は、本発明の実施形態に係るセラミックフィルタ用リテーナ１１の外観図である。
図２は、セラミックフィルタ１３にセラミックフィルタ用リテーナ１１を装着した状態（非稼働時）の概略断面図である。
【００１５】
セラミックフィルタ用リテーナ１１及びセラミックフィルタ１３は、隔壁型式集塵装置の取付け部４３に着脱可能な状態で固定される。
セラミックフィルタ１３は、排ガス通気路内に設置され、排ガスに含有される複数の微粒子状物質の一部を濾材によって除去するために用いられる。排ガスは、図２に示す矢印Ａの向きに、図中下方から上方に向けて流れる。
【００１６】
リテーナフランジ２１は、例えば、ステンレスなどの剛性を有する材料によって形成される。
図１に示すように、セラミックフィルタ用リテーナ１１は、環状のリテーナフランジ２１と、金属線で環状に形成され所定間隔をあけて複数本配置された固定リング２３と、固定リング２３の外側に接合された複数本の縦線材２５とで構成される。
【００１７】
リテーナフランジ２１と縦線材２５との間、並びに固定リング２３と縦線材２５との間はスポット溶接等で接合されている。
隣合う固定リング２３の間の間隔、並びに隣合う縦線材２５の間隔は、排ガスの通気を妨げないように選ばれる。
縦線材２５のリテーナフランジ２１と反対側の先端は、内側に向けて屈曲している。
【００１８】
セラミックフィルタ用リテーナ１１は、セラミックフィルタ１３の中空部３１に、中空部３１に通じる開口部３３を介して挿入される。
セラミックフィルタ用リテーナ１１は、隔壁型式集塵装置が稼働していない状態では熱膨張せず、図２に示すように、中空部３１の内面１３ａと所定の距離を隔てた状態になる。
【００１９】
一方、セラミックフィルタ用リテーナ１１は、隔壁型式集塵装置が稼働して温度が上昇すると、熱膨張してセラミックフィルタ１３の中空部３１の内面１３ａに当接して内面１３ａを外側に向けて押圧してセラミックフィルタ１３に固定される。このとき、縦線材２５がセラミックフィルタ１３の内面１３ａに当接する。
【００２０】
セラミックフィルタ１３の開口部３３付近は、外側に向けて突き出た環状の突出部１３ｂを有する。
隔壁型式集塵装置では、上方に押さえ板４１を有し、押さえ板４１が取付けボルト４７によってリテーナフランジ２１に向けて付勢された状態で取付け部４３に固定される。これにより、セラミックフィルタ用リテーナ１１及びセラミックフィルタ１３が隔壁型式集塵装置に安定した状態で固定される。
【００２１】
取付け部４３と突出部１３ｂとの間にはシール材５１が介在している。リテーナフランジ２１とセラミックフィルタ１３との間にはシール材５３が介在している。
押さえ板４１がセラミックフィルタ１３に向けて押圧されることで、シール材５１，５３によって、セラミックフィルタ１３の中空部３１と外側とが密閉される。
【００２２】
以下、セラミックフィルタ用リテーナ１１の作用を説明する。
［稼働時］
隔壁型式集塵装置の稼働時には、セラミックフィルタ用リテーナ１１周辺の雰囲気が高温になり、セラミックフィルタ用リテーナ１１が熱膨張する。これにより、セラミックフィルタ用リテーナ１１の縦線材２５がセラミックフィルタ１３の中空部３３の内面１３ａに当接して内面１３ａを外側に向けて押圧してセラミックフィルタ１３を固定し、補強する。そのため、排ガスの流れによってセラミックフィルタ１３が外力を受けても、セラミックフィルタ用リテーナ１１によってセラミックフィルタ１３を安定した状態で固定できる。
【００２３】
［交換時］
セラミックフィルタ１３の交換は、隔壁型式集塵装置の非稼働時でリテーナフランジ２１が熱膨張していない状態で行う。
取付けボルト４７を緩めて、押さえ板４１を取付け部４３から取り外す。
そして、ベンチュリーノズル４９、セラミックフィルタ用リテーナ１１及びセラミックフィルタ１３を順に取り外す。
このとき、セラミックフィルタ用リテーナ１１は熱膨張していないため、セラミックフィルタ用リテーナ１１とセラミックフィルタ１３とは分離しており、セラミックフィルタ１３のみを容易に交換できる。
【００２４】
以上説明したように、セラミックフィルタ用リテーナ１１によれば、セラミックフィルタ１３を安定した状態で固定し、補強できる。
また、セラミックフィルタ１３における圧力損失は時間と共に増加するので、パルスジェットにより、適当な間隔で堆積煤塵を除去して、連続運転を維持する。パルスジェットは、圧縮空気を濾材上部から内面に瞬時に吹き込み外面に堆積した煤塵を振るい落とすが、本実施形態によればセラミックフィルタ１３を安定した状態で固定できるので安全である。
【００２５】
本実施形態では、セラミックフィルタ１３は、セラミックフィルタ用リテーナ１１に着脱自在に保持されるので、セラミックフィルタ１３の交換時に、セラミックフィルタ用リテーナ１１を交換することなく、セラミックフィルタ１３のみを交換することができる。そのため、交換部品を最小限とすることができ、ランニングコストを低減することができる。
【００２６】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００２７】
上述した図１及び図２に示すセラミックフィルタ用リテーナ１１の形状は一例であり、固定リング２３及び縦線材２５の数は所望の強度を満たす範囲において任意に変更可能である。例えば、図３に示すように、リテーナフランジ２１の縦方向の長さを長くしてもよい
また、セラミックフィルタ１３の形状も任意である。
また、セラミックフィルタ用リテーナ１１の材質も熱膨張するものであれば任意である。
【産業上の利用可能性】
【００２８】
本発明は、隔壁型式集塵装置に適用可能である。
【符号の説明】
【００２９】
１１…セラミックフィルタ用リテーナ
１３…セラミックフィルタ
３１…中空部
４１…押さえ板
４３…取付け部
４７…取付けボルト
４９…ベンチュリーノズル
５１…シール材
５３…シール材
【図１】
2016107200.tif 000003
【図２】
2016107200.tif 000004
【図３】
2016107200.tif 000005